(57)【要約】【課題】  当該電子機器を盗用した他人が本人に成り済ます「成り済まし」による不正行為の発生を防止して、セキュリテイの向上を図る。【解決手段】  位置記憶キーが操作された場合には（Ｓ２２；ＹＥＳ）、この腕時計の現在位置を検出し（Ｓ２３）、認証許可位置記録部に記録する（Ｓ２４）。また、Ｓ２１での判断の結果、認証開始キーが操作された場合にも、現在位置を検出する（Ｓ２５）。Ｓ２５で検出した現在位置と、Ｓ２４で認証許可位置記録部に記憶させた設定位置とを比較し、現在位置が所定の位置か否かを判断する（Ｓ２６）。所定の位置でない場合には、認証処理（Ｓ２５）を実行しない。しかし、Ｓ２６での判断の結果、現在位置が所定の位置である場合には、認証処理を実行する（Ｓ２５）。更に、認証が成功したか否かを判断し（Ｓ２８）、認証が成功したならば、所定の機能の動作を可能にする（Ｓ２９）。【選択図】    図３
2005182480.tif 000002
【特許請求の範囲】
【請求項１】
認証手段と、
この認証手段で認証が成功した際に所定の機能を実行する機能手段と、
現在位置を検出する位置検出手段と、
予め設定された位置を記憶する位置記憶手段と、
前記位置検出手段で検出された現在位置と前記位置記憶手段に記憶されている位置とに基づいて、所定の位置にあるか否かを判別する位置判別手段と、
この位置判別手段で前記所定の位置にあると判別された場合に、前記認証手段の動作を可能にする制御手段と
を備えることを特徴とする電子機器。
【請求項２】
認証手段と、
この認証手段で認証が成功した際に所定の機能を実行する機能手段と、
現在位置を検出する位置検出手段と、
予め設定された位置を記憶する位置記憶手段と、
前記位置検出手段で検出された現在位置と前記位置記憶手段に記憶されている位置とに基づいて、所定の位置にあるか否かを判別する位置判別手段と、
現在時刻を計時する計時手段と、
予め設定された認証可能時刻を記憶する時刻記憶手段と、
前記計時手段により計時される現在時刻と前記時刻記憶手段に記憶されている認証可能時刻とに基づいて、所定の認証可能時間帯であるか否かを判別する時間帯判別手段と、
前記位置判別手段で所定の位置にあると判別され、前記時間帯判別手段で所定の時間帯であることが判別された際に、前記認証手段の動作を可能にする制御手段と
を備えることを特徴とする電子機器。
【請求項３】
認証手段と、
この認証手段で認証が成功した際に所定の機能を開始させる機能制御手段と、
当該装置を人体に装着しているか否かを検出する着脱検出手段と、
現在位置を検出する位置検出手段と、
予め設定された位置を記憶する位置記憶手段と、
前記位置検出手段で検出された現在位置と前記位置記憶手段に記憶されている位置とに基づいて、当該装置が所定の位置にあるか否かを判別する位置判別手段と、
前記所定の機能が動作中に着脱検出手段により前記装置が人体から外されたことが検出された際に、前記位置判別手段で前記所定の位置にないことが判別された場合、前記機能手段の動作を停止する制御手段と
を備えることを特徴とする電子機器。
【請求項４】
現在位置を検出する位置検出手段と、予め設定された位置を記憶する位置記憶手段とを備えた電子機器の制御方法であって、
認証工程と、
この認証工程で認証が成功した際に所定の機能を実行する機能実行工程と、
前記位置検出手段で検出された現在位置と前記位置記憶手段に記憶されている位置とに基づいて、所定の位置にあるか否かを判別する位置判別工程と、
この位置判別工程で前記所定の位置にあると判別された場合に、前記認証工程の動作を可能にする制御工程と
を含むことを特徴とする電子機器の制御方法。
【請求項５】
現在位置を検出する位置検出手段と、予め設定された位置を記憶する位置記憶手段と、現在時刻を計時する計時手段と、予め設定された認証可能時刻を記憶する時刻記憶手段とを備えた電子機器の制御方法であって、
認証工程と、
この認証工程で認証が成功した際に所定の機能を実行する機能実行工程と、
前記位置検出手段で検出された現在位置と前記位置記憶手段に記憶されている位置とに基づいて、所定の位置にあるか否かを判別する位置判別工程と、
前記計時手段により計時される現在時刻と前記時刻記憶手段に記憶されている認証可能時刻とに基づいて、所定の認証可能時間帯であるか否かを判別する時間帯判別工程と、
前記位置判別工程で所定の位置にあると判別され、前記時間帯判別工程で所定の時間帯であることが判別された際に、前記認証工程の動作を可能にする制御工程と
を含むことを特徴とする電子機器の制御方法。
【請求項６】
当該装置を人体に装着しているか否かを検出する着脱検出手段と、現在位置を検出する位置検出手段と、予め設定された位置を記憶する位置記憶手段とを備えた電子機器の制御方法であって、
認証工程と、
この認証工程で認証が成功した際に所定の機能を開始させる機能制御工程と、
前記位置検出手段で検出された現在位置と前記位置記憶手段に記憶されている位置とに基づいて、当該装置が所定の位置にあるか否かを判別する位置判別工程と、
前記所定の機能が動作中に着脱検出手段により前記装置が人体から外されたことが検出された際に、前記位置判別工程で前記所定の位置にないことが判別された場合、前記機能手段の動作を停止する制御工程と
を含むことを特徴とする電子機器の制御方法。
【請求項７】
現在位置を検出する位置検出手段と、予め設定された位置を記憶する位置記憶手段とを備えた電子機器が有するコンピュータを、
認証手段と、
この認証手段で認証が成功した際に所定の機能を実行する機能実行手段と、
前記位置検出手段で検出された現在位置と前記位置記憶手段に記憶されている位置とに基づいて、所定の位置にあるか否かを判別する位置判別手段と、
この位置判別手段で前記所定の位置にあると判別された場合に、前記認証手段の動作を可能にする制御手段と
して機能させることを特徴とする認証制御プログラム。
【請求項８】
現在位置を検出する位置検出手段と、予め設定された位置を記憶する位置記憶手段と、現在時刻を計時する計時手段と、予め設定された認証可能時刻を記憶する時刻記憶手段とを備えた電子機器が有するコンピュータを、
認証手段と、
この認証手段で認証が成功した際に所定の機能を実行する機能実行手段と、
前記位置検出手段で検出された現在位置と前記位置記憶手段に記憶されている位置とに基づいて、所定の位置にあるか否かを判別する位置判別手段と、
前記計時手段により計時される現在時刻と前記時刻記憶手段に記憶されている認証可能時刻とに基づいて、所定の認証可能時間帯であるか否かを判別する時間帯判別手段と、
前記位置判別手段で所定の位置にあると判別され、前記時間帯判別手段で所定の時間帯であることが判別された際に、前記認証手段の動作を可能にする制御手段と
して機能させることを特徴とする認証制御プログラム。
【請求項９】
当該装置を人体に装着しているか否かを検出する着脱検出手段と、現在位置を検出する位置検出手段と、予め設定された位置を記憶する位置記憶手段とを備えた電子機器が有するコンピュータを、
認証手段と、
この認証手段で認証が成功した際に所定の機能を開始させる機能制御手段と、
前記位置検出手段で検出された現在位置と前記位置記憶手段に記憶されている位置とに基づいて、当該装置が所定の位置にあるか否かを判別する位置判別手段と、
前記所定の機能が動作中に着脱検出手段により前記装置が人体から外されたことが検出された際に、前記位置判別手段で前記所定の位置にないことが判別された場合、前記機能手段の動作を停止する制御手段と
して機能させることを特徴とする認証制御プログラム。
【発明の詳細な説明】
【技術分野】
【０００１】
本発明は、本人認証を行う機能を備えた電子機器、該電子機器の制御方法及び認証制御プログラムに関する。
【背景技術】
【０００２】
従来、認証機能を備えた身体装着機器が提案されるに至っている。この身体装着機器は腕時計型であって、当該機器が腕に装着されているか否かを検知するセンサと、認証用データを入力するためのキーと、このキーにより入力された認証用データを記憶するメモリと、認証用データを送信する送信部とを備えている。そして、前記センサにより機器が装着されていることが検知されていることを条件として、キー入力された認証用データをメモリに記憶させるとともに送信部から外部に送信する。しかし、身体に装着されていないことが検知された場合には、メモリの記憶を消去する。したがって、この身体装着機器を身体に装着している場合には、認証用データをメモリに記憶させたり、送信することが可能となるが、身体に装着していない場合には、メモリに記憶されている認証のデータが消去されて認証データの送信が不可能となることにより、セキュリティが確保されるものである（特許文献１参照）。
【特許文献１】特開２０００−２００３１５号公報
【発明の開示】
【発明が解決しようとする課題】
【０００３】
しかしながら、係る従来の機器にあっては、前述のように機器が身体に装着されていることを条件として、認証データの記憶や送信を可能とするものであることから、機器を身体に装着していれさえすれば、誰が、何時、何処でキー入力を行っても、認証データの記憶及び送信が可能となる。したがって、他人により当該機器が盗用されると、当該他人が機器を身体に装着すれば、何時、何処でキー入力を行っても、認証データの記憶や送信を可能となる。このため、他人が本人に成り済ます「成り済まし」による不正行為の発生を必ずしも充分に防止することができず、確保し得るセキュリテイに関して満足すべきものではなかった。
【０００４】
本発明は、かかる従来の課題に鑑みてなされたものであり、他人が本人に成り済ます「成り済まし」による不正行為の発生を防止して、セキュリテイの向上を図ることのできる電子機器、電子機器の制御方法及び認証制御プログラムを提供することを目的とする。
【課題を解決するための手段】
【０００５】
前記課題を解決するため請求項１記載の発明に係る電子機器にあっては、認証手段と、この認証手段で認証が成功した際に所定の機能を実行する機能手段と、現在位置を検出する位置検出手段と、予め設定された位置を記憶する位置記憶手段と、前記位置検出手段で検出された現在位置と前記位置記憶手段に記憶されている位置とに基づいて、所定の位置にあるか否かを判別する位置判別手段と、この位置判別手段で前記所定の位置にあると判別された場合に、前記認証手段の動作を可能にする制御手段とを備える。
【０００６】
したがって、この電子機器は、現在位置が予め設定されて記憶手段に記憶された位置との関係において所定の位置にある場合にのみ、認証が成功した際に所定の機能を実行することが可能となる。よって、この電子機器の正当な所有者である本人以外の他人が、この電子機器を盗用し、更には認証が成功したとしても、当該機器が所定の位置になければ、譬え認証が成功したとしても、所定の機能を実行させることはできない。その結果、他人が本人に成り済ます「成り済まし」による不正行為の発生が防止され、セキュリテイの向上を図ることができる。
【０００７】
また、請求項２記載の発明に係る電子機器にあっては、認証手段と、この認証手段で認証が成功した際に所定の機能を実行する機能手段と、現在位置を検出する位置検出手段と、予め設定された位置を記憶する位置記憶手段と、前記位置検出手段で検出された現在位置と前記位置記憶手段に記憶されている位置とに基づいて、所定の位置にあるか否かを判別する位置判別手段と、現在時刻を計時する計時手段と、予め設定された認証可能時刻を記憶する時刻記憶手段と、前記計時手段により計時される現在時刻と前記時刻記憶手段に記憶されている認証可能時刻とに基づいて、所定の認証可能時間帯であるか否かを判別する時間帯判別手段と、前記位置判別手段で所定の位置にあると判別され、前記時間帯判別手段で所定の時間帯であることが判別された際に、前記認証手段の動作を可能にする制御手段とを備える。
【０００８】
したがって、この電子機器は、現在位置が予め設定されて記憶された位置との関係において所定の位置にあり、かつ、現在時刻が予め設定されて記憶された時刻との関係において所定の時間帯にある場合にのみ、認証が成功した際に所定の機能を実行することが可能となる。よって、この電子機器の正当な所有者である本人以外の他人が、この電子機器を盗用したとしても、当該機器が所定の位置になく、若しくは現在時刻が予め設定されて記憶された時刻との関係において所定の時間帯でなければ、譬え認証が成功させたとしても、所定の機能を実行させることはできない。その結果、他人が本人に成り済ます「成り済まし」による不正行為の発生がより確実防止され、セキュリテイの向上を図ることができる。
【０００９】
また、請求項３記載の発明に係る電子機器にあっては、認証手段と、この認証手段で認証が成功した際に所定の機能を開始させる機能制御手段と、当該装置を人体に装着しているか否かを検出する着脱検出手段と、現在位置を検出する位置検出手段と、予め設定された位置を記憶する位置記憶手段と、前記位置検出手段で検出された現在位置と前記位置記憶手段に記憶されている位置とに基づいて、当該装置が所定の位置にあるか否かを判別する位置判別手段と、前記所定の機能が動作中に着脱検出手段により前記装置が人体から外されたことが検出された際に、前記位置判別手段で前記所定の位置にないことが判別された場合、前記機能手段の動作を停止する制御手段とを備える。
【００１０】
したがって、この電子機器は、現在位置が予め設定されて記憶された位置との関係において所定の位置にない場合、当該機器人体から外されると、この認証が成功した際に開始させる所定の機能の動作が停止する。よって、この電子機器の正当な所有者である本人以外の他人が、この電子機器を盗用したとしても、当該機器が所定の位置にない状態で、人体から外されると、譬え認証が成功したとしても、所定の機能を実行させることはできない。その結果、他人が本人に成り済ます「成り済まし」による不正行為の発生がより確実防止され、セキュリテイの向上を図ることができる。
【００１１】
また、請求項４記載の発明に係る電子機器の制御方法にあっては、現在位置を検出する位置検出手段と、予め設定された位置を記憶する位置記憶手段とを備えた電子機器の制御方法であって、認証工程と、この認証工程で認証が成功した際に所定の機能を実行する機能実行工程と、前記位置検出手段で検出された現在位置と前記位置記憶手段に記憶されている位置とに基づいて、所定の位置にあるか否かを判別する位置判別工程と、この位置判別工程で前記所定の位置にあると判別された場合に、前記認証工程の動作を可能にする制御工程とを含む。したがって、記載した工程に従って処理を実行することにより、請求項１記載の発明と同様の作用効果を奏する。
【００１２】
また、請求項５記載の発明に係る電子機器の制御方法にあっては、現在位置を検出する位置検出手段と、予め設定された位置を記憶する位置記憶手段と、現在時刻を計時する計時手段と、予め設定された認証可能時刻を記憶する時刻記憶手段とを備えた電子機器の制御方法であって、認証工程と、この認証工程で認証が成功した際に所定の機能を実行する機能実行工程と、前記位置検出手段で検出された現在位置と前記位置記憶手段に記憶されている位置とに基づいて、所定の位置にあるか否かを判別する位置判別工程と、前記計時手段により計時される現在時刻と前記時刻記憶手段に記憶されている認証可能時刻とに基づいて、所定の認証可能時間帯であるか否かを判別する時間帯判別工程と、前記位置判別工程で所定の位置にあると判別され、前記時間帯判別工程で所定の時間帯であることが判別された際に、前記認証工程の動作を可能にする制御工程とを含む。したがって、記載した工程に従って処理を実行することにより、請求項２記載の発明と同様の作用効果を奏する。
【００１３】
また、請求項６記載の発明に係る電子機器の制御方法にあっては、当該装置を人体に装着しているか否かを検出する着脱検出手段と、現在位置を検出する位置検出手段と、予め設定された位置を記憶する位置記憶手段とを備えた電子機器の制御方法であって、認証工程と、この認証工程で認証が成功した際に所定の機能を開始させる機能制御工程と、前記位置検出手段で検出された現在位置と前記位置記憶手段に記憶されている位置とに基づいて、当該装置が所定の位置にあるか否かを判別する位置判別工程と、前記所定の機能が動作中に着脱検出手段により前記装置が人体から外されたことが検出された際に、前記位置判別工程で前記所定の位置にないことが判別された場合、前記機能手段の動作を停止する制御工程とを含む。したがって、記載した工程に従って処理を実行することにより、請求項３記載の発明と同様の作用効果を奏する。
【００１４】
また、請求項７記載の発明に係る電子機器の認証制御プログラムにあっては、現在位置を検出する位置検出手段と、予め設定された位置を記憶する位置記憶手段とを備えた電子機器が有するコンピュータを、認証手段と、この認証手段で認証が成功した際に所定の機能を実行する機能実行手段と、前記位置検出手段で検出された現在位置と前記位置記憶手段に記憶されている位置とに基づいて、所定の位置にあるか否かを判別する位置判別手段と、この位置判別手段で前記所定の位置にあると判別された場合に、前記認証手段の動作を可能にする制御手段として機能させる。したがって、前記コンピュータがこのプログラムに従って処理を実行することにより、請求項１記載の発明と同様の作用効果を奏する。
【００１５】
また、請求項８記載の発明に係る電子機器の認証制御プログラムにあっては、現在位置を検出する位置検出手段と、予め設定された位置を記憶する位置記憶手段と、現在時刻を計時する計時手段と、予め設定された認証可能時刻を記憶する時刻記憶手段とを備えた電子機器が有するコンピュータを、認証手段と、この認証手段で認証が成功した際に所定の機能を実行する機能実行手段と、前記位置検出手段で検出された現在位置と前記位置記憶手段に記憶されている位置とに基づいて、所定の位置にあるか否かを判別する位置判別手段と、前記計時手段により計時される現在時刻と前記時刻記憶手段に記憶されている認証可能時刻とに基づいて、所定の認証可能時間帯であるか否かを判別する時間帯判別手段と、前記位置判別手段で所定の位置にあると判別され、前記時間帯判別手段で所定の時間帯であることが判別された際に、前記認証手段の動作を可能にする制御手段として機能させる。したがって、前記コンピュータがこのプログラムに従って処理を実行することにより、請求項２記載の発明と同様の作用効果を奏する。
【００１６】
また、請求項９記載の発明に係る電子機器の認証制御プログラムにあっては、当該装置を人体に装着しているか否かを検出する着脱検出手段と、現在位置を検出する位置検出手段と、予め設定された位置を記憶する位置記憶手段とを備えた電子機器が有するコンピュータを、認証手段と、この認証手段で認証が成功した際に所定の機能を開始させる機能制御手段と、前記位置検出手段で検出された現在位置と前記位置記憶手段に記憶されている位置とに基づいて、当該装置が所定の位置にあるか否かを判別する位置判別手段と、前記所定の機能が動作中に着脱検出手段により前記装置が人体から外されたことが検出された際に、前記位置判別手段で前記所定の位置にないことが判別された場合、前記機能手段の動作を停止する制御手段として機能させる。したがって、前記コンピュータがこのプログラムに従って処理を実行することにより、請求項３記載の発明と同様の作用効果を奏する。
【発明の効果】
【００１７】
以上のように請求項１、４、７に係る発明によれば、当該電子機器の正当な所有者である本人以外の他人が、この電子機器を盗用し、更には認証を成功させたとしても、当該機器が所定の位置になければ、所定の機能を実行させることはできない。したがって、この電子機器を盗用した他人が本人に成り済ます「成り済まし」による不正行為の発生を防止することができ、セキュリテイの向上を図ることができる。
【００１８】
また、請求項２、５、８に係る発明によれば、当該電子機器の正当な所有者である本人以外の他人が、この電子機器を盗用したとしても、当該機器が所定の位置になく、若しくは現在時刻が予め設定されて記憶された時刻との関係において所定の時間帯でなければ、譬え認証が成功させたとしても、所定の機能を実行させることはできない。したがって、この電子機器を盗用した他人が本人に成り済ます「成り済まし」による不正行為の発生をより確実防止することができ、セキュリテイの向上を図ることができる。
【００１９】
また、請求項３、６、９に係る発明によれば、当該電子機器の正当な所有者である本人以外の他人が、この電子機器を盗用したとしても、当該機器が所定の位置にない状態で、人体から外されると、譬え認証が成功したとしても、所定の機能を実行させることはできない。したがって、この電子機器を盗用した他人が本人に成り済ます「成り済まし」による不正行為の発生がより確実防止され、セキュリテイの向上を図ることができる。
【発明を実施するための最良の形態】
【００２０】
以下、本発明の一実施の形態を図に従って説明する。
【００２１】
（第１の実施の形態）
本実施の形態は、本発明を腕時計に適用したものである。図１は、本発明の第１の実施の形態に係る腕時計の回路構成を示すブロック図である。図に示すように、この腕時計は、制御部１とこの制御部１に接続された表示部２、送信部３、着脱検出部４、キー部５、時計部６、認証許可位置記録部（不揮発性）７、及びＧＰＳ（Global Positioning System）受信部８等で構成されている。
【００２２】
制御部１は、主としてＣＰＵ及びその周辺回路と、後述するフローチャートに示すプログラムや腕時計として機能するに必要なプログラム等が格納されているＲＯＭ、ＣＰＵの作業用メモリであるＲＡＭ等から構成されるマイクロコンピュータであり、各部を制御する。表示部２は、液晶表示パネルとその駆動回路等により構成され、現在時刻やキー操作に応じた各種表示を行う。送信部３は、ＩＤ等を無線で外部に送信する機能を有する。
【００２３】
着脱検出部４は、近接して配置された赤外線ＬＥＤと赤外線フォトセンサとで構成され、この腕時計を腕に装着することにより、赤外線ＬＥＤからの赤外光が腕の皮膚に反射して赤外線フォトセンサにて受光されることにより、腕時計の人体への装着が検出されるように構成されている。あるいは、この腕時計が腕に装着された状態で体温を検出して、当該腕時計の人体への装着が検出されるように構成されている。
【００２４】
キー部５は、腕時計として必要な各種キー及び後述するフローチャートに示す認証開始キー、位置記憶キー、パスワードを入力するためのキー等とこれらキーの操作に応じた信号を出力する信号出力回路とからなる。時計部６は、所定周波数のクロック信号に基づき現在時刻情報を生成して制御部１に供給する。したがって、制御部１がこの現在時刻情報に基づき表示部２を制御することにより、表示部２に現在時刻が表示される。認証許可位置記録部７は、不揮発性メモリからなり後述する処理で取得した現在位置情報を記憶する。ＧＰＳ受信部８は、測地衛星からのＬ１帯のＣ／Ａコードを受信して復調・解読し現在位置の緯度・経度を割り出すものである。
【００２５】
以上の構成に係る本実施の形態において、制御部１は前記プログラムに基づき図２に示すフローチャートに従って処理を実行する。すなわち、キー部５からの出力信号の有無に基づき、キー入力があったか否かを判断し（ステップＳ１）、キー入力があった場合には、キー処理（ステップＳ２）を実行する。
【００２６】
このキー処理（ステップＳ２）は、図３に示すフローチャートに従って実行され、入力されたキーが認証開始キーであったか否かを判断する（ステップＳ２１）。認証開始キーでなかった場合には、更にそれが位置記憶キーであったか否かを判断し（ステップＳ２２）、位置記憶キーでもなかった場合には、その他のキー処理を実行する。また、位置記憶キーであった場合には（ステップＳ２２；ＹＥＳ）、ＧＰＳ受信部８を制御してこの腕時計が現時点で存在する位置（緯度・経度）を検出し（ステップＳ２３）、検出した位置（位置情報＝緯度・経度情報）を認証許可位置記録部７に記録する（ステップＳ２４）。したがって、この認証許可位置記録部７に記録させる位置を当該ユーザの自宅とすることが条件付けられている場合には、ユーザが自宅において位置記憶キーをワンタッチ操作すれば、条件に合った位置を簡単に設定記憶させることができる。
【００２７】
一方、ステップＳ２１での判断の結果、認証開始キーが操作された場合にも、ＧＰＳ受信部８を制御して現在位置を検出する（ステップＳ２５）。引き続き、このステップＳ２５で検出した現在位置と、前記ステップＳ２４で認証許可位置記録部７に記憶させた設定位置とを比較し、現在位置が設定位置から所定の範囲内である所定の位置か否かを判断する（ステップＳ２６）。そして、このステップＳ２６での判断の結果、現在位置が設定位置から所定の範囲外であり所定の位置でない場合には、認証処理（ステップＳ２７）を実行することなく、図２のメインフローに戻る。
【００２８】
しかし、ステップＳ２６での判断の結果、現在位置が設定位置から所定の範囲内であることにより現在位置が所定の位置である場合には、認証処理を実行する（ステップＳ２７）。ここで認証処理とは、例えば表示部２にパスワード入力画面を表示して、ユーザにパスワードを入力させ、この入力されたパスワードと予めＲＯＭ等に記憶されているパスワードとを比較する処理である。
【００２９】
次に、このパスワードが一致するか否かにより認証が成功したか否かを判断する（ステップＳ２８）。パスワードが一致して認証が成功したならば（ステップＳ２８；ＹＥＳ）、所定の機能の動作を可能にする（ステップＳ２９）。ここで、認証が成功した場合に動作可能となる所定の機能とは、例えばＩＤを送信部３より外部に送信する機能である。なお、認証が成功した場合には、ＲＡＭに予め記憶してある認証済みフラグをオンにしておく。
【００３０】
他方、前記図２のフローチャートにおいて、このようにしてキー処理（ステップＳ２）が終了した場合、及びステップＳ１での判断がＮＯであってキー入力がなかった場合には、ステップＳ３に進む。そして、このステップＳ３において、着脱検出部４からの検出信号に基づき、当該腕時計が人体に装着中であるか否かを判断する。人体装着中でなかった場合には、外した時点から時計部６により計時された時間に基づき、外してから所定微少時間内であって外した直後であるか否かを判断する（ステップＳ４）。外した直後である場合には、認証を解除するとともに、前記所定の動作を停止させる（ステップＳ５）。
【００３１】
つまり、ユーザがこの腕時計を腕から外した直後に、前記認証が成功した場合にオンにされた認証済みフラグをオフにして認証を解除し、かつ、前述のステップＳ２７で可能とした所定の機能の動作（本例では、ＩＤを送信部３より外部に送信する動作）を停止させてしまう。
【００３２】
また、ステップＳ３での判断の結果、人体装着中である場合には、前記認証済フラグの状態に基づき認証済みであるか否かを判断する（ステップＳ６）。このとき、前記ステップＳ２８で認証が既に成功しており、かつ、前記ステップＳ５での認証解除が実行されていなければ、認証済フラグはオンとなっており認証済の状態にある。したがって、ステップＳ６の判断がＹＥＳとなり、ステップＳ７に進んで所定の機能処理を実行する。しかる後に、表示処理を実行して表示部２に表示されている現在時刻の更新等を行う（ステップＳ８）。
【００３３】
ここで、所定の機能とは前述のように例えばＩＤを送信部３より外部に送信する機能であり、このステップＳ７に進んだ時点でこの所定の機能処理の実行が可能となる。
【００３４】
つまり、所定の機能処理がなされるためには、
（１）所定の位置で認証がなされたこと、
（２）認証後、腕時計が人体から外されていないこと（認証解除されていないこと）、
（３）所定の機能処理の実行時に腕時計が人体装着中であること、
の各条件が必要となる。したがって、所定の機能処理を実現するためには、これら複数の条件（１）（２）（３）が必要となることにより、他人が本人に成り済ます「成り済まし」を防止して、「成り済まし」による不正行為の発生を確実に防止することができる。
【００３５】
そして、ステップＳ８においては、表示処理を実行して表示部２に表示されている現在時刻の更新等を行い（ステップＳ８）、ステップＳ１からの処理を繰り返す。
【００３６】
（第２の実施の形態）
【００３７】
図４は、本発明の第２の実施の形態に係る腕時計の回路構成を示すブロック図である。図に示すように、この腕時計は、更に認証許可時刻記録部（不揮発性）９を有している。この認証許可時刻記録部９は不揮発性メモリからなり、後述する処理で設定した認証許可時刻を記憶する。なお、制御部１からＧＰＳ受信部８までの構成は、図１に示した第１の実施の形態と同様であるので同一部分に同一符号を付して説明を省略する。
【００３８】
以上の構成に係る本実施の形態において、制御部１はプログラムに基づき前述の第１の実施の形態と同様に、図２にしたフローチャートに従って処理を実行する。このとき、キー処理（ステップＳ２）は、図５に示すフローチャートに従って実行する。すなわち、先ず入力されたキーが認証開始キーであったか否かを判断する（ステップＳ３１）。認証開始キーでなかった場合には、更にそれが位置記憶キーであったか否かを判断する（ステップＳ３２）。位置記憶キーでもなかった場合には、キー操作が認証許可時刻入力であるか否かを判断し（ステップＳ３５）、認証許可時刻入力でもなかったらその他のキー処理を実行する。
【００３９】
そして、ステップＳ３２での判断の結果、位置記憶キーであった場合には（ステップＳ３２；ＹＥＳ）、ＧＰＳ受信部８を制御してこの腕時計が現時点で存在する位置（緯度・経度）を検出し（ステップＳ３３）、検出した位置（位置情報＝緯度・経度情報）を認証許可位置記録部７に記録する（ステップＳ３４）。したがって、この認証許可位置記録部７に記録させる位置を当該ユーザの自宅とすることが条件付けられている場合には、ユーザが自宅において位置記憶キーをワンタッチ操作すれば、条件に合った位置を簡単に設定記憶させることができる。
【００４０】
また、ステップＳ３５での判断の結果、認証許可時刻入力であった場合には（ステップＳ３５；ＹＥＳ）、入力された認証許可時刻を認証許可時刻記録部９に記録する（ステップＳ３６）。したがって、この認証許可時刻記録部９に記録させる時刻を９時とすることが条件付けられている場合には、認証許可時刻として「９時」を入力すれば、条件に合った時刻が記憶されることとなる。
【００４１】
一方、ステップＳ３１での判断の結果、認証開始キーが操作された場合にも、ＧＰＳ受信部８を制御して現在位置を検出する（ステップＳ３７）。引き続き、このステップＳ３７で検出した現在位置と、前記ステップＳ３４で認証許可位置記録部７に記憶させた設定位置とを比較し、現在位置が設定位置から所定の範囲内である所定の位置か否かを判断する（ステップＳ３８）。そして、このステップＳ３８での判断の結果、現在位置が設定位置から所定の範囲外であり所定の位置でない場合には、認証処理（ステップＳ４０）を実行することなく、図２のメインフローに戻る。
【００４２】
また、ステップＳ３８での判断の結果、現在位置が設定位置から所定の範囲内であることにより現在位置が所定の位置である場合には、時計部６が計時している現座時刻と、前記ステップＳ３６で認証許可時刻記録部９に記憶させた認証許可時刻とを比較し、現在位時刻が認証許可時刻から所定の時間内である所定の時間帯か否かを判断する（ステップＳ３９）そして、このステップＳ３９での判断の結果、現在位時刻が認証許可時刻から所定の時間外であり所定の時間帯でない場合には、認証処理（ステップＳ４０）を実行することなく、図２のメインフローに戻る。
【００４３】
しかし、ステップＳ３９での判断の結果、現在位時刻が認証許可時刻から所定の時間内であり所定の時間帯である場合には、認証処理を実行する（ステップＳ４０）。ここで認証処理とは、例えば表示部２にパスワード入力画面を表示して、ユーザにパスワードを入力させ、この入力されたパスワードと予めＲＯＭ等に記憶されているパスワードとを比較する処理である。次に、このパスワードが一致するか否かにより認証が成功したか否かを判断する（ステップＳ４１）。パスワードが一致して認証が成功したならば（ステップＳ４１；ＹＥＳ）、所定の機能の動作を可能にする（ステップＳ４２）。ここで、認証が成功した場合に動作可能となる所定の機能とは、例えばＩＤを送信部３より外部に送信する機能である。なお、認証が成功した場合には、ＲＡＭに予め記憶してある認証済みフラグをオンにしておく。
【００４４】
他方、前記図２のフローチャートにおいて、前述のようにしてステップＳ３〜Ｓ８の処理がなされ、ステップＳ７に進んだ時点でこの所定の機能処理の実行が可能となる。
【００４５】
したがって、所定の機能処理がなされるためには、
（１）所定の位置で認証がなされたこと、
（２）所定の時間帯に認証がなされたこと、
（３）認証後、腕時計が人体から外されていないこと（認証解除されていないこと）、
（４）所定の機能処理の実行時に腕時計が人体装着中であること、
の各条件が必要となる。したがって、所定の機能処理を実現するためには、これら複数の条件（１）〜（４）が必要となることにより、他人が本人に成り済ます「成り済まし」を防止して、「成り済まし」による不正行為の発生を確実に防止することができる。
【００４６】
（第３の実施の形態）
【００４７】
図６は、本発明の第３の実施の形態に係る腕時計の回路構成を示すブロック図である。図に示すように、この腕時計は、更に着脱許可位置記録部（不揮発性）７１を有している。この着脱許可位置記録部７１は不揮発性メモリからなり、後述する処理で検出された着脱許可位置を記憶する。なお、制御部１から認証許可時刻記録部９までの構成は図１に示した第１の実施の形態、及び図４に示した第２の実施の形態と同様であるので同一部分に同一符号を付して説明を省略する。また、本実施の形態においては、キー部５には更に認証許可位置記憶キーと着脱許可位置記憶キーとが設けられている。
【００４８】
以上の構成に係る本実施の形態において、制御部１は前記プログラムに基づき図７に示すフローチャートに従って処理を実行する。すなわち、キー部５からの出力信号の有無に基づき、キー入力があったか否かを判断し（ステップＳ５１）、キー入力があった場合には、キー処理（ステップＳ５２）を実行する。
【００４９】
このキー処理（ステップＳ５２）は、図８に示すフローチャートに従って実行され、入力されたキーが認証開始キーであったか否かを判断する（ステップＳ５２１）。認証開始キーでなかった場合には、更にそれが認証許可位置記憶キーであったか否かを判断し（ステップＳ５２２）、認証開始キーでなかった場合には、更にそれが着脱許可位置記憶キーであったか否かを判断する（ステップＳ５２５）。着脱許可位置記憶キーでもなかった場合には、キー操作が認証許可時刻入力であるか否かを判断し（ステップＳ５２８）、認証許可時刻入力でもなかったらその他のキー処理を実行する。
【００５０】
そして、ステップＳ５２２での判断の結果、認証許可位置記憶キーであった場合には（ステップＳ５２２；ＹＥＳ）、ＧＰＳ受信部８を制御してこの腕時計が現時点で存在する位置（緯度・経度）を検出し（ステップＳ５２３）、検出した位置（位置情報＝緯度・経度情報）を認証許可位置記録部７に記録する（ステップＳ５２４）。したがって、この認証許可位置記録部７に記録させる位置を当該ユーザの自宅とすることが条件付けられている場合には、ユーザが自宅において位置記憶キーをワンタッチ操作すれば、条件に合った位置を簡単に設定記憶させることができる。
【００５１】
また、ステップＳ５２５での判断の結果、着脱許可位置記憶キーであった場合には（ステップＳ５２５；ＹＥＳ）、ＧＰＳ受信部８を制御してこの腕時計が現時点で存在する位置（緯度・経度）を検出し（ステップＳ５２６）、検出した位置（位置情報＝緯度・経度情報）を着脱許可位置記録部７１に記録する（ステップＳ５２７）。したがって、ユーザがこの着脱許可位置記録部７１に記録させる位置を当該ユーザの自宅とすることを希望するのであれば、ユーザが自宅において着脱許可位置記憶キーをワンタッチ操作することにより、着脱許可位置を簡単に設定記憶させることができる。無論、認証許可位置と異なる位置を着脱許可位置として記憶させることもできる。
【００５２】
また、ステップＳ５２８での判断の結果、認証許可時刻入力であった場合には、入力された認証許可時刻を認証許可時刻記録部９に記録する（ステップＳ５２９）。したがって、この認証許可時刻記録部９に記録させる時刻を９時とすることが条件付けられている場合には、認証許可時刻として「９時」を入力すれば、条件に合った時刻が記憶されることとなる。
【００５３】
一方、ステップＳ５２１での判断の結果、認証開始キーが操作された場合にも、ＧＰＳ受信部８を制御して現在位置を検出する（ステップＳ５３０）。引き続き、このステップＳ５３０で検出した現在位置と、前記ステップＳ５２４で認証許可位置記録部７に記憶させた設定位置とを比較し、現在位置が設定位置から所定の範囲内である所定の位置か否かを判断する（ステップＳ５３１）。そして、このステップＳ５３１での判断の結果、現在位置が設定位置から所定の範囲外であり所定の位置でない場合には、認証処理（ステップＳ５３３）を実行することなく、図７のメインフローに戻る。
【００５４】
また、ステップＳ５３１での判断の結果、現在位置が設定位置から所定の範囲内であることにより現在位置が所定の位置である場合には、時計部６が計時している現座時刻と、前記ステップＳ５２９で認証許可時刻記録部９に記憶させた認証許可時刻とを比較し、現在位時刻が認証許可時刻から所定の時間内である所定の時間帯か否かを判断する（ステップＳ５３２）そして、このステップＳ５３２での判断の結果、現在位時刻が認証許可時刻から所定の時間外であり所定の時間帯でない場合には、認証処理（ステップＳ５３３）を実行することなく、図７のメインフローに戻る。
【００５５】
しかし、ステップＳ５３２での判断の結果、現在位時刻が認証許可時刻から所定の時間内であり所定の時間帯である場合には、認証処理を実行する（ステップＳ５３３）。ここで認証処理とは、例えば表示部２にパスワード入力画面を表示して、ユーザにパスワードを入力させ、この入力されたパスワードと予めＲＯＭ等に記憶されているパスワードとを比較する処理である。次に、このパスワードが一致するか否かにより認証が成功したか否かを判断する（ステップＳ５３４）。パスワードが一致して認証が成功したならば（ステップＳ５３４；ＹＥＳ）、所定の機能の動作を可能にする（ステップＳ５３５）。ここで、認証が成功した場合に動作可能となる所定の機能とは、例えばＩＤを送信部３より外部に送信する機能である。なお、認証が成功した場合には、ＲＡＭに予め記憶してある認証済みフラグをオンにしておく。
【００５６】
他方、前記図７のフローチャートにおいて、このようにしてキー処理（ステップＳ５２）が終了した場合、及びステップＳ５１での判断がＮＯであってキー入力がなかった場合には、ステップＳ５３に進む。そして、このステップＳ５３において、着脱検出部４からの検出信号に基づき、当該腕時計が人体に装着中であるか否かを判断する。人体装着中でなかった場合には、外した時点から時計部６により計時された時間に基づき、外してから所定微少時間内であって外した直後であるか否かを判断する（ステップＳ５４）。外した直後である場合には、ＧＰＳ受信部８を制御して現在位置を検出する（ステップＳ５５）。引き続き、このステップＳ５５で検出した現在位置と、前記ステップＳ５２７で着脱許可位置記録部７１に記憶させた着脱許可位置とを比較し、現在位置が着脱許可位置から所定の範囲内である所定の位置か否かを判断する（ステップＳ５６）。そして、このステップＳ５６での判断の結果、現在位置が着脱許可位置から所定の範囲外であり所定の位置でない場合には、認証を解除するとともに、所定の動作を停止させる（ステップＳ５７）。
【００５７】
つまり、ユーザがこの腕時計を腕から外した直後に、前述したように認証が成功した場合にオンにされた認証済みフラグをオフにして認証を解除し、かつ、前述のステップＳ５２７で可能とした所定の機能の動作（本例では、ＩＤを送信部３より外部に送信する動作）を停止させてしまう。
【００５８】
しかし、ステップＳ５６での判断の結果、現在位置が着脱許可位置から所定の範囲内であり所定の位置である場合には、認証を解除するとともにステップＳ５７の処理を行うことなく、メインフローにリターンする。つまり、所定の位置において腕時計を人体から外した場合には、認証を解除せず、かつ、所定の機能の動作を停止させることなく継続させる。
【００５９】
したがって、本実施の形態において所定の機能処理がなされるためには、
（１）所定の位置で認証がなされたこと、
（２）所定の時間帯に認証がなされたこと、
（３）認証後、腕時計が所定の位置以外で人体から外されていないこと（認証解除されていないこと）、
（４）所定の機能処理の実行時に腕時計が人体装着中であること、
の各条件が必要となる。よって、所定の機能処理を実現するためには、これら複数の条件（１）〜（４）が必要となることにより、他人が本人に成り済ます「成り済まし」を防止して、「成り済まし」による不正行為の発生を確実に防止することができる。
【００６０】
但し、条件（３）に関しては、腕時計が所定の位置（本例の場合、ユーザの自宅）で人体から外されても、認証解除されない。したがって、自宅等の予め設定された位置にユーザがいる場合には、腕時計を外しても本人認証情報は有効に維持されることから、毎回腕時計装着時に本人認証操作を行わなければならい煩雑を解消することができる。
【００６１】
なお、第２及び第３の実施の形態においては、予め認証許可時刻を入力して記憶させこの時刻に基づき所定の時間帯であるか否かを判断するようにしたが、認証許可時間帯を入力して記憶させこの時間帯であるか否かを判断するようにしもよい。
【００６２】
また、第３の実施の形態では、各々位置検出を行って認証許可位置と着脱許可位置とを記憶させるようにしたが、認証許可位置のみを検出しこれをコピーして着脱許可位置として記録するようにしてもよい。さらに、第３の実施の形態においては、認証許可位置記録部７と着脱許可位置記録部７１とを設け、各記録部７、７１に記憶させた位置に基づきステップＳ５６の判断とステップＳ５３１との判断を行うようにしたが、単一の記録部のみを設けこの記録部に記憶させた単一の位置情報に基づき、ステップＳ５６の判断とステップＳ５３１との判断を行うようにしてもよい。
【図面の簡単な説明】
【００６３】
【図１】本発明の第１の実施の形態に係る腕時計のブロック回路図である。
【図２】同実施の形態における制御部の処理手順を示すフローチャートである。
【図３】図２のフローチャートにおけるキー処理（ステップＳ３）の詳細を示すフローチャートである。
【図４】本発明の第２の実施の形態に係る腕時計のブロック回路図である。
【図５】同実施の形態におけるキー処理（ステップＳ３）の詳細を示すフローチャートである。
【図６】本発明の第３の実施の形態に係る腕時計のブロック回路図である。
【図７】同実施の形態における制御部の処理手順を示すフローチャートである。
【図８】図７のフローチャートにおけるキー処理（ステップＳ５２）の詳細を示すフローチャートである。
【符号の説明】
【００６４】
１    制御部
２    表示部
３    送信部
４    着脱検出部
５    キー部
６    時計部
７    認証許可位置記録部
８    受信部
８    ＧＰＳ受信部
９    認証許可時刻記録部
７１    着脱許可位置記録部
【図１】
2005182480.tif 000003
【図２】
2005182480.tif 000004
【図３】
2005182480.tif 000005
【図４】
2005182480.tif 000006
【図５】
2005182480.tif 000007
【図６】
2005182480.tif 000008
【図７】
2005182480.tif 000009
【図８】
2005182480.tif 000010